(57)【要約】【課題】片側のリムフランジ径が従来より大きな、非対称フランジ形状のリムに装着しうる乗用車用空気入りタイヤであって、ショルダー部の偏摩耗を好適に抑制することができる空気入りタイヤを提供すること。【解決手段】サイドウォール部の少なくとも片側に、リムフランジの外周側湾曲面に当接して前記サイドウォール部の変形を抑制可能な内周側面を有する環状の膨出部を備え、膨出部の頂点は、ノミナル径を基準とした高さが５５ｍｍ以上であり、前記サイドウォール部の表面に現れた曲率半径の輪郭からの高さが３ｍｍ以上であるとともに、ベルト層６を構成する第１ベルトプライ７における車両装着時外側端７ａからタイヤ赤道線Ｃまでの距離Ｌｏを、第１ベルトプライ７の車両装着時内側端７ｂからタイヤ赤道線Ｃまでの距離Ｌｉよりも長くした。【選択図】図３
2005262976.tif 000002
【特許請求の範囲】
【請求項１】
一対の環状のビード部と、そのビード部から各々外周側へ延びるサイドウォール部と、そのサイドウォール部の各々の外周側端にショルダー部を介して連なるトレッド部と、前記トレッド部の内周側に配されるベルト層と、前記サイドウォール部の少なくとも片側に、リムフランジの外周側湾曲面に当接して前記サイドウォール部の変形を抑制可能な内周側面を有する環状の膨出部とを備え、
その膨出部はノミナル径を基準として５５ｍｍ以上の高さに頂点が位置し、その頂点の前記サイドウォール部の表面に現れた曲率半径の輪郭からの高さが３ｍｍ以上であるとともに、
前記ベルト層を構成する少なくとも１層のベルトプライにおける車両装着時外側端からタイヤ赤道線までの距離を、前記ベルトプライの車両装着時内側端からタイヤ赤道線までの距離よりも長くした乗用車用空気入りタイヤ。
【請求項２】
前記ベルト層が、第１ベルトプライと、その外周側に配される第２ベルトプライとからなり、前記第１ベルトプライの幅寸法に対する、前記第１ベルトプライおよび前記第２ベルトプライの各中心位置からタイヤ赤道線までの各距離の平均の比率が、０．０１５〜０．０４５である請求項１記載の乗用車用空気入りタイヤ。
【請求項３】
タイヤ最外径点から、前記トレッド部の表面に現れた曲率半径の輪郭延長線と、前記サイドウォール部の表面に現れた曲率半径の輪郭延長線との交点までのタイヤ径方向距離をＰ落ち量とし、更に、車両装着時外側のＰ落ち量をＰｏ、車両装着時内側のＰ落ち量をＰｉ、前記トレッド部のトレッド幅をＴＷとするとき、０．００１５≦（Ｐｏ−Ｐｉ）／ＴＷ≦０．００４５を満たす請求項１または２記載の乗用車用空気入りタイヤ。
【発明の詳細な説明】
【技術分野】
【０００１】
本発明は、リムフランジ径が従来より大きなリムに好適に使用できる乗用車用空気入りタイヤに関する。
【背景技術】
【０００２】
近年の乗用車用空気入りタイヤは、耐久性や操縦安定性などのタイヤ性能を高めるだけなく、デザインを重視してファッション性を高める傾向にある。中でも、偏平率の小さいタイヤをリム（ホイール）にリム組みした車輪は、スポーツタイヤのイメージが有るため、特に関心が寄せられている。しかし、偏平率の小さいタイヤは、タイヤ内容積の縮小に伴って負荷能力が小さくなるなどの欠点があった。このため、空気入りタイヤの偏平率を小さくせずに、上記の如き車輪のファッション性を高める方法として、リムフランジ径を従来より大きくすることが考えられた。但し、リムフランジ径を両側とも大きくすると、空気入りタイヤの嵌め込みが非常に困難になり、リム組み性が悪化するため、片側のリムフランジ径のみを大きく形成した非対称フランジ形状のリムが開発された。
【０００３】
ところが、上記非対称フランジ形状のリムを使用した場合、リムフランジ径が大きく形成された側において、タイヤのたわみが抑制されるため、ショルダー部の接地圧が反対側よりも高くなり、偏摩耗が発生することが判明した。
【０００４】
従来、そのような偏摩耗または接地圧の不均一を抑制するために、例えば、下記特許文献１〜３に開示されるタイヤが提案されている。
【０００５】
下記特許文献１のタイヤは、摩耗の著しい側のタイヤ外径および肉厚を反対側よりも大きくした非対称プロファイルを有し、摩耗が著しい側の剛性を高めてたわみの抑制を図ったものである。しかしながら、上記非対称フランジ形状のリムを使用した場合、摩耗の著しい側とはリムフランジ径が大きく形成された側であるため、その側のタイヤ外径および肉厚を大きく設定することは、車輪のファッション性を高めるという当該リムの目的に反することになる。よって、下記特許文献１のタイヤは、上記非対称フランジ形状のリムに装着するタイヤに適用できるものではない。
【０００６】
下記特許文献２のタイヤは、同等の長さを有する２層のベルトプライをタイヤ赤道線の両側に対称的にずらし、車両内側にずらされたベルトプライのコード角度を調整して、面圧が高い車両内側部分の剛性低下を図ったものである。しかしながら、当該タイヤは、幅寸法が略等しくコード角度の異なる２層ベルトプライを用いるため成形が煩雑になり、しかも、通常の空気入りタイヤにおける乗心地性能の向上を目的としたものであって、非対称フランジ形状のリムに装着したタイヤの偏摩耗を抑制できるほどの効果が望めるものではない。
【０００７】
下記特許文献３のタイヤは、最外側ベルト層の位置を車両外側にずらし、その車両外側の領域の剛性を向上して偏摩耗の抑制を図ったものである。しかしながら、当該タイヤはトラックやバス等に用いられる重荷重用スタッドレスタイヤであり、最外側ベルト層の位置をずらしたことで生じる剛性の不均一を解消するために、ショルダー部の形状を車両外側ではラウンド形状に、車両内側ではスクウェア形状にする必要がある。よって、非対称フランジ形状のリムに装着するタイヤに適用できるものではない。
【特許文献１】特開平８−２３０４０８号公報
【特許文献２】特開平７−１３２７０６号公報
【特許文献３】特開平５−９６９１０号公報
【発明の開示】
【発明が解決しようとする課題】
【０００８】
そこで、本発明の目的は、片側のリムフランジ径が従来より大きな、非対称フランジ形状のリムに装着しうる乗用車用空気入りタイヤであって、ショルダー部の偏摩耗を好適に抑制することができる空気入りタイヤを提供することにある。
【課題を解決するための手段】
【０００９】
上記目的は、下記の如き本発明により達成することができる。即ち、本発明の乗用車用空気入りタイヤは、一対の環状のビード部と、そのビード部から各々外周側へ延びるサイドウォール部と、そのサイドウォール部の各々の外周側端にショルダー部を介して連なるトレッド部と、前記トレッド部の内周側に配されるベルト層と、前記サイドウォール部の少なくとも片側に、リムフランジの外周側湾曲面に当接して前記サイドウォール部の変形を抑制可能な内周側面を有する環状の膨出部とを備え、その膨出部はノミナル径を基準として５５ｍｍ以上の高さに頂点が位置し、その頂点の前記サイドウォール部の表面に現れた曲率半径の輪郭からの高さが３ｍｍ以上であるとともに、前記ベルト層を構成する少なくとも１層のベルトプライにおける車両装着時外側端からタイヤ赤道線までの距離を、前記ベルトプライの車両装着時内側端からタイヤ赤道線までの距離よりも長くしたものである。
【００１０】
本発明の構成によると、ベルト層を構成する少なくとも１層のベルトプライにおける車両装着時外側（リムフランジ径が大きく形成された側。以下、車両外側と省略する。）の端部からタイヤ赤道線までの距離が、その車両装着時内側（以下、車両内側と省略する。）の端部からタイヤ赤道線までの距離よりも長いため、車両外側の領域の剛性が車両内側の領域よりも高くなる。それによって車両外側に位置するショルダー部の接地が車両内側に比べて制約され、車両外側のショルダー部の接地圧を低下させることができる。その結果、接地圧の不均一を解消してショルダー部の偏摩耗を好適に抑制することができる。
【００１１】
また、サイドウォール部の少なくとも片側に設けられる膨出部の頂点は、ノミナル径を基準とした高さが５５ｍｍ以上であり、サイドウォール部の表面に現れた曲率半径の輪郭からの高さが３ｍｍ以上であるため、リムフランジ径が従来より大きなリムに対してもリム組みが容易で、リムフランジの保護機能も良好になる。また、膨出部が、リムフランジの外周側湾曲面に当接してサイドウォール部の変形を抑制可能な内周側面を有するため、サイドウォール部の変形によるリムフランジとの接触や摩耗を効果的に抑制することができる。更に、当該内周側面を有する膨出部は、サイドウォール部の変形を抑制してタイヤの運動性能を向上させることができる。
【００１２】
上記において、前記ベルト層が、第１ベルトプライと、その外周側に配される第２ベルトプライとからなり、前記第１ベルトプライの幅寸法に対する、前記第１ベルトプライおよび前記第２ベルトプライの各中心位置からタイヤ赤道線までの各距離の平均の比率が、０．０１５〜０．０４５であるものが好ましい。
【００１３】
上記構成によれば、車両外側の端部からタイヤ赤道線までの距離が、車両内側の端部からタイヤ赤道線までの距離よりも長いベルト層が２層のベルトプライからなり、最内側ベルトプライの幅寸法に対する、それらの各中心位置からタイヤ赤道線までの各距離の平均の比率を０．０１５〜０．０４５に設定することで、車両外側のショルダー部の接地圧を低下させつつ、車両内側のショルダー部の接地圧とのバランスを好適に確保し、接地圧の不均一を解消してショルダー部の偏摩耗を好適に抑制することができる。
【００１４】
上記において、タイヤ最外径点から、前記トレッド部の表面に現れた曲率半径の輪郭延長線と、前記サイドウォール部の表面に現れた曲率半径の輪郭延長線との交点までのタイヤ径方向距離をＰ落ち量とし、更に、車両装着時外側のＰ落ち量をＰｏ、車両装着時内側のＰ落ち量をＰｉ、前記トレッド部のトレッド幅をＴＷとするとき、０．００１５≦（Ｐｏ−Ｐｉ）／ＴＷ≦０．００４５を満たすものが好ましい。
【００１５】
上記構成によれば、車両外側のＰ落ち量が車両内側よりも大きいため、車両外側のショルダー部の接地に要するたわみ量が比較的大きくなる。その結果、車両外側のショルダー部の接地圧を低下させることができ、接地圧の不均一を解消してショルダー部の偏摩耗を好適に抑制することができる。また、Ｐ落ち量を、トレッド幅との関係において所定の範囲内に設定することで、種々のタイヤサイズに対応した接地圧の均一化を図ることができる。ここで、表面に現れた曲率半径の輪郭延長線とは、その表面の曲率でその表面を延長した円弧を意味するものとする。更に、トレッド幅は、サイドウォール部の表面に現れた曲率半径の輪郭延長線と、そのサイドウォール部の外周側端にそれぞれショルダー部を介して連なるトレッド部の表面に現れた曲率半径の輪郭延長線との交点同士のタイヤ軸方向距離で定義される。
【発明を実施するための最良の形態】
【００１６】
以下、本発明の実施の形態について、図面を参照しながら説明する。図１は、本発明の乗用車用空気入りタイヤの一例を示すタイヤ子午線断面図である。図２は、図１に係るタイヤのサイドウォール部付近の要部を示す要部拡大図である。
【００１７】
本発明の空気入りタイヤは、図１に示すように、一対の環状のビード部１と、ビード部１から各々外周側へ延びるサイドウォール部２と、サイドウォール部２の外周側端に各々ショルダー部３を介して連なるトレッド部４と、一対のビード部１の間に架け渡されるように配されるカーカス層５とを備える。カーカス層５は、タイヤ赤道線Ｃに対して所定の角度をなして巻き付けたカーカスコードにより構成され、カーカスコードは部分的に傾斜したものでもよい。この構造は一般的なタイヤと同じ構造であり、本発明は当該構造を有する何れのタイヤにも適用できる。
【００１８】
カーカス層５の外周側には、たが効果による補強を行うベルト層６が配される。本実施形態のベルト層６は、カーカス層５のすぐ外周側に配される第１ベルトプライ７と、第１ベルトプライ７の外周側に重ねて配される第２ベルトプライ８とにより構成されている。各ベルトプライ７、８は、例えばタイヤ赤道線Ｃに対して１５〜３５゜の角度で配列されたコードにより形成されており、それらのコードが互いに交差するように配置されている。
【００１９】
カーカス層５やベルト層６を構成するコードとしては、スチールや、ポリエステル、レーヨン、ナイロン、アラミド等の有機系繊維からなるものが例示される。これらの材料は、いずれもゴムとの接着性を高めるべく、通常、表面処理や接着処理等がなされる。
【００２０】
ビード部１には、カーカス層５に囲まれたビードワイヤーの集束体であるビード１ａとビードフィラー１ｂが配設され、このビード１ａによりカーカス層５の端部を巻き返して係止することで、ビード部１間がカーカス層５で補強された状態で、タイヤがリム２０上に強固に嵌着される。カーカス層５の両側にはゴム層が形成され、チューブレスタイヤでは、最内層にインナーライナー層が形成される。
【００２１】
上記のゴム層等の原料ゴムとしては、天然ゴム、スチレンブタジエンゴム（ＳＢＲ）、ブタジエンゴム（ＢＲ）、イソプレンゴム（ＩＲ）、ブチルゴム（ＩＩＲ）等が挙げられる。これらのゴムはカーボンブラックやシリカ等の充填材で補強されると共に、加硫剤、加硫促進剤、可塑剤、老化防止剤等が適宜配合される。尚、本発明のタイヤを構成する部材のゴム硬度は、特に限定されるものではない。
【００２２】
本実施形態では、タイヤ赤道線Ｃとトレッド部４の表面との交点が、タイヤの最外径位置であるタイヤ最外径点Ｍとなり、本発明のタイヤプロファイルは、後述するようにタイヤ最外径点Ｍの両側において非対称となる場合がある。尚、本発明におけるタイヤ最外径点Ｍの位置は、タイヤ赤道線Ｃ上にあるものに限られない。
【００２３】
本発明の空気入りタイヤは、少なくとも片側のサイドウォール部２に、リムプロテクターとして機能する環状の膨出部１１を備える。膨出部１１は、リムフランジ２１の外周側湾曲面２１ａに当接してサイドウォール部２の変形を抑制可能な内周側面１１ａを有する。膨出部１１の内周側面１１ａは、リムフランジ２１の外周側湾曲面２１ａから離反していてもよく、走行時においてタイヤが変形する際に、膨出部１１の内周側面１１ａが外周側湾曲面２１ａに当接することで、サイドウォール部２の変形が抑制可能であればよい。本実施形態では、膨出部１１の内周側面１１ａが外周側湾曲面２１ａに常時当接する例を示す。
【００２４】
膨出部１１はノミナル径ＮＲを基準として５５ｍｍ以上の高さＲ１に頂点Ｔが位置している。頂点Ｔの高さＨ１は３ｍｍ以上であり、好ましくは１０〜１５ｍｍである。ここで、高さＨ１は、タイヤ子午線断面において、サイドウォール部２の表面に現れた曲率半径Ｒｓｉの輪郭２ａからの高さを意味する。また、膨出部１１を構成するゴムの硬度は、ＪＩＳ  Ａ硬度にて４５〜８５°であるものが好ましい。その際、ゴムを短繊維補強したり、長繊維補強したりしてもよい。
【００２５】
膨出部１１の頂点Ｔの位置は、リム２０のリムフランジ２１の高さＨＲより０〜４ｍｍ高いことが好ましい。これにより、サイドウォール部２の変形抑制効果が好適に得られると共に、リムとタイヤとの間へ砂等の異物が混入することを防止することができる。その際、膨出部１１の頂点Ｔの位置のノミナル径ＮＲを基準とする高さが、タイヤ断面高さＨ２に対して４１〜６１％であることが好ましい。これにより、偏平率が２０〜３０％のタイヤと同等の外観となるため、スポーツタイヤのイメージが生じ、ファッション性も高いものとなる。また、膨出部１１の頂点Ｔの位置が、タイヤ最大幅の位置よりタイヤ外周側に配置されることが好ましい。
【００２６】
本発明の空気入りタイヤは、リム装着時にリムフランジ２１を好適に保護し得る膨出部１１を備えており、膨出部１１の内周側面１１ａがリムフランジ２１の外周側湾曲面２１ａに当接してサイドウォール部２の変形を抑制することで、リムフランジ２１との接触や摩耗を効果的に抑制するものである。但し、サイドウォール部２の変形を抑制することで、車両外側のショルダー部３の接地圧が反対側よりも高くなるため、本発明の空気入りタイヤはショルダー部３の接地圧を均一化して偏摩耗を防止すべく、以下に説明する構成を備える。
【００２７】
図３は、本発明に係るタイヤのベルト層の配置を説明する模式図である。但し、図３（ａ）は、比較のために記載した従来の一般的なベルト層の配置である。従来は、図３（ａ）に示すように、ベルト層６を構成する第１ベルトプライ７および第２ベルトプライ８は、タイヤ赤道線Ｃの両側に略均等に配されている。
【００２８】
一方、図３（ｂ）のベルト層６は、第１ベルトプライ７を車両外側にずらして配置されている。即ち、第１ベルトプライ７の車両外側に位置する端部７ａ（前記車両装着時外側端に相当する。）からタイヤ赤道線Cまでの距離Ｌｏが、第１ベルトプライ７の車両内側に位置する端部７ｂ（前記車両装着時内側端に相当する。）からタイヤ赤道線Cまでの距離Ｌｉよりも長くなるように配置されている。これによって車両外側の領域の剛性が車両内側の領域よりも高くなり、ショルダー部３の接地が車両内側に比べて制約され、車両外側に位置するショルダー部３の接地圧を低下させることができる。その結果、接地圧の不均一を解消してショルダー部３の偏摩耗を好適に抑制することができる。
【００２９】
図３（ｃ）のベルト層６は、第１ベルトプライ７および第２ベルトプライ８を車両外側にずらして配置されている。即ち、図３（ｂ）と同様に、第１ベルトプライ７の車両外側に位置する端部７ａからタイヤ赤道線Cまでの距離Ｌｏが、その車両内側に位置する端部７ｂからタイヤ赤道線Cまでの距離Ｌｉよりも長くなるように配置されている。更に、第１ベルトプライ７および第２ベルトプライ８は、タイヤ幅方向の中心位置７ｃ、８ｃを同じくして配置されている。このとき、各ベルトプライの中心位置７ｃ、８ｃからタイヤ赤道線Cまでの距離Ｌｃの、第１ベルトプライ７の幅寸法Ｗに対する比率Ｌｃ／Ｗが、０．０１５〜０．０４５であるものが好ましく、更に０．０２５〜０．０３５であるものがより好ましい。比率Ｌｃ／Ｗが０．０１５未満であると、車両外側と車両内側との領域で剛性差が小さく、接地圧を均一化させる効果が小さい。一方、比率Ｌｃ／Ｗが０．０４５を超えると、車両外側と車両内側との領域で剛性差が大きくなり過ぎ、接地圧を均一化させる効果が小さくなる。
【００３０】
図３（ｄ）のベルト層６も、第１ベルトプライ７および第２ベルトプライ８を車両外側にずらして配置されている。但し、第１ベルトプライ７および第２ベルトプライ８が、各中心位置７ｃ、８ｃをタイヤ幅方向にずらして配置されている。この場合、第１ベルトプライ７の中心位置７ｃからタイヤ赤道線Cまでの距離と、第２ベルトプライ８の中心位置８ｃからタイヤ赤道線Cまでの距離との平均となる距離Ｌａｃの、第１ベルトプライ７の幅寸法Ｗに対する比率Ｌａｃ／Ｗが、上記と同様に０．０１５〜０．０４５であるものが好ましい。
【００３１】
図４は、図１に係るタイヤのショルダー部付近の要部を示す要部拡大図であり、図４（ａ）は車両外側に位置するショルダー部付近を、図４（ｂ）は車両内側に位置するショルダー部付近を示す。
【００３２】
図４に示すように、トレッド部４の両側に位置するショルダー部３では、その表面に現れた曲率半径Ｒｓｈの輪郭３ａが、トレッド部４の表面に現れた曲率半径Ｒｔの輪郭４ａと、サイドウォール部２の表面に現れた曲率半径Ｒｓｉの輪郭２ａとにそれぞれ内接している。ここで、破線で示される輪郭延長線１２は、輪郭２ａを曲率半径Ｒｓｉの曲率で延長した円弧であり、同じく破線で示される輪郭延長線１４は、輪郭４ａを曲率半径Ｒｔの曲率で延長した円弧である。Ｐ落ち量は、タイヤ最外径点Ｍ（図４において不図示）から、輪郭延長線１２と輪郭延長線１４との交点Ａまでのタイヤ径方向距離として定義される。尚、サイドウォール部２、ショルダー部３およびトレッド部４の表面に、各々現れる曲率半径Ｒｓｉ、Ｒｓｈ、Ｒｔは、特に制限されるものではない。
【００３３】
本発明の空気入りタイヤは、車両外側のＰ落ち量をＰｏ、車両内側のＰ落ち量をＰｉ、交点Ａ同士のタイヤ軸方向距離をトレッド幅ＴＷとするとき、０．００１５≦（Ｐｏ−Ｐｉ）／ＴＷ≦０．００４５を満たし、より好ましくは、０．００２５≦（Ｐｏ−Ｐｉ）／ＴＷ≦０．００３５を満たす。これにより、車両外側に位置するショルダー部の接地に要するたわみ量が比較的大きくなって、車両外側の接地圧を低下させることができる。その結果、接地圧の不均一を解消し、ショルダー部３の偏摩耗を好適に抑制することができる。
【００３４】
（Ｐｏ−Ｐｉ）／ＴＷが０．００１５未満であると、車両外側に位置するショルダー部３の接地圧を低下させる効果が小さく、ショルダー部３の偏摩耗を抑制する効果が小さくなる。（Ｐｏ−Ｐｉ）／ＴＷが０．００４５を超えると、ＰｏとＰｉとの差が大きくなって、車両外側に位置するショルダー部３の接地圧が低くなり過ぎるため、逆に接地圧が不均一となるだけでなく、タイヤプロファイルが最外径点Ｍの両側において大きく異なることになるため操縦安定性が悪化する。
【００３５】
また、本発明の空気入りタイヤは、トレッド幅ＴＷに対するＰ落ち量Ｐｉが、０．０４００≦Ｐｉ／ＴＷ≦０．０５００を満たすものが好ましい。上記構成により、Ｐ落ち量Ｐｉが略従前のものとなるため、操縦安定性が確保されるとともに、Ｐ落ち量Ｐｏの設定によって上述した偏摩耗の抑制効果を比較的簡易に奏することができる。
【００３６】
本発明では、タイヤの成形工程において、各ゴム部材を貼り合わせた円筒状の成形体に内圧をかけて略タイヤ寸法まで膨ませる際に、上記のように配されたベルト層６の存在により車両外側の領域が反対側よりも膨らみ難くなるため、P落ち量ＰｏをＰ落ち量Ｐｉよりも大きくし易く、簡易に製造することができる。また、その非対称プロファイルに応じた金型等を使用して加硫成形することによっても、簡易に製造することができる。
【００３７】
［他の実施形態］
（１）前述の実施形態では、ベルト層６を従来よりも車両外側にずらして配置する例を示したが、本発明では、例えば図５に示すように、ベルト層６の車両外側端が従来よりも車両外側に延長されたものでもよい。この場合においても、車両外側の領域の剛性が車両内側の領域よりも高くなり、車両外側に位置するショルダー部３の接地圧を低下させることができる。
【００３８】
（２）本発明の空気入りタイヤが備えるベルト層は、２層のベルトプライからなるものに限られない。また、ベルト層６の外周側にベルト補強層等が形成されたものでもよい。
【００３９】
（３）前述の実施形態では、トレッド部４の表面にひとつの曲率半径が現れた例を示したが、本発明の空気入りタイヤはこれに限られず、例えばタイヤ最外径点Ｍの両側において、トレッド部４の表面に複数の曲率半径が現れるものでもよい。その際、交点Ａは、サイドウォール部２の輪郭延長線１２と、そのサイドウォール部２の外周側端にショルダー部３を介して連なるトレッド部の輪郭延長線との交点として定義される。
【００４０】
（４）前述の実施形態では、車両外側のリムフランジ２１に内接する部分のタイヤ構造が従来と同じである例を示したが、本発明では、この部分の構造を従来と異なるものとしてもよい。例えば、リムフランジ２１によってビード１ａ回りの補強が行われるため、ビードフィラー１ｂの硬度を低減したり高さを低くしたりしてもよい。また、リムフランジ２１との接触や摩耗を低減するために、ＪＩＳ  Ａ硬度６５〜９０°からなるゴム層をサイドウォール部２の表面に設けてもよい。更に、スチールコードやナイロンコードによる補強層をビード１ａ回りに配置した構造としてもよい。
【００４１】
（５）前述の実施形態では、膨出部１１の断面形状が略三角形である例を示したが、これに限られず、略台形、略半円形、略三日月形などの形状でもよい。また、膨出部１１の内周側面１１ａの形状は、頂点Ｔからサイドウォール部２の外側壁２ａに引いた直線より外側へ膨れた形状でもよく、逆に内側にくびれた形状でもよい。膨出部１１の内周側面１１ａが内側にくびれた形状である場合、その曲率半径ＰＲは、リムフランジ２１の外周側湾曲面２１ａへのフィット性より、３〜３０ｍｍが好ましく、５〜２０ｍｍがより好ましい。
【実施例】
【００４２】
以下、本発明の構成と効果を具体的に示す実施例について説明する。本実施例では、図３（ｃ）に示したように、車両外側にずらしつつ、タイヤ幅方向の中心位置を略同じくして配置された２層のベルトプライからなるベルト層を有し、タイヤサイズが３０５／４５Ｒ２２  １１８Ｖである試作タイヤを用いた。各試作タイヤには、ベルト層のサイズは同じであるが、ベルト層の中心位置からタイヤ赤道線までの距離Ｌｃを変化させたものを用意した。
【００４３】
接地圧の測定は、空気圧を２２０ｋＰａとし、ＪＡＴＭＡ８０％の荷重を負荷した試作タイヤをプレート上に載置し、そのプレートに設けられた検出器を用いて行った。接地圧分布の評価は、トレッド部をタイヤ幅方向に３分割した領域における接地圧を比較することで行った。当該３つの領域を、車両装着時外側（リムフランジ径が大きく形成された側）から順に、Ｓ−ＯＵＴ部、センター部、Ｓ−ＩＮ部と示す。尚、センター部の接地圧を１００とし、Ｓ−ＯＵＴ部およびＳ−ＩＮ部の接地圧は、センター部との比で示す。
【００４４】
【表１】
2005262976.tif 000003
表１の結果が示すように、ベルト層がタイヤ赤道線の両側に均等に配された従来例では、車両外側においてタイヤのたわみが抑制されるため、Ｓ−ＯＵＴ部の接地圧がＳ−ＩＮ部よりも高く、接地圧が不均一となった。この場合、ショルダー部に偏摩耗が発生し易い。
【００４５】
一方、実施例１〜３では、ベルト層の位置を車両外側にずらしたことによって、Ｓ−ＯＵＴ部のショルダー部の剛性が比較的高くなり、その外側に位置するショルダー部の接地が内側に比べて制約され、その外側に位置するショルダー部の接地圧を低下させることができた。これにより、接地圧の不均一が解消され、ショルダー部の偏摩耗を好適に抑制することができる。なお、参考例１では、距離Ｌｃが小さいために車両外側と車両内側との領域で剛性差が小さく、Ｓ−ＯＵＴ部の接地圧低下の効果が比較的小さい。また、参考例２では、距離Ｌｃが大きいために車両外側と車両内側との領域で剛性差が大きく、接地圧均一化の効果が比較的小さい。
【図面の簡単な説明】
【００４６】
【図１】本発明の乗用車用空気入りタイヤの一例を示すタイヤ子午線断面図
【図２】図１に係るタイヤのサイドウォール部付近の要部を示す要部拡大図
【図３】本発明に係るタイヤのベルト層の配置を説明する模式図
【図４】図１に係るタイヤのショルダー部付近を示す要部拡大図
【図５】本発明の別形態に係るタイヤのベルト層の配置を説明する模式図
【符号の説明】
【００４７】
２      サイドウォール部
２ａ    サイドウォール部の表面に現れた曲率半径の輪郭
３      ショルダー部
３ａ    ショルダー部の表面に現れた曲率半径の輪郭
４      トレッド部
４ａ    トレッド部の表面に現れた曲率半径の輪郭
６      ベルト層
７      第１ベルトプライ
７ａ    第１ベルトプライの車両装着時外側端
７ｂ    第１ベルトプライの車両装着時内側端
７ｃ    第１ベルトプライの中央位置
８      第２ベルトプライ
８ｃ    第２ベルトプライの中央位置
１１    膨出部
１１ａ  膨出部の内周側面
１２    サイドウォール部の輪郭延長線
１４    トレッド部の輪郭延長線
２０    リム
２１    リムフランジ
２１ａ  外周側湾曲面
Ａ      交点
Ｃ      タイヤ赤道線
Ｈ１    膨出部の頂点の高さ
Ｌａｃ  第１ベルトプライの中央位置からタイヤ赤道線までの距離と、第２ベルトプライの中央位置からタイヤ赤道線までの距離との平均となる距離
Ｌｃ    ベルトプライの中央位置からタイヤ赤道線までの距離
Ｌｉ    ベルトプライの車両内側端からタイヤ赤道線までの距離
Ｌｏ    ベルトプライの車両外側端からタイヤ赤道線までの距離
ＮＲ    ノミナル径
Ｐｉ    車両内側となる側のＰ落ち量
Ｐｏ    車両外側となる側のＰ落ち量
Ｒｓｈ  ショルダー部の表面に現れた曲率半径
Ｒｓｉ  サイドウォール部の表面に現れた曲率半径
Ｒｔ    トレッド部の表面に現れた曲率半径
Ｔ      膨出部の頂点
ＴＷ    トレッド幅
Ｗ      第１ベルトプライの幅寸法
【図１】
2005262976.tif 000004
【図２】
2005262976.tif 000005
【図３】
2005262976.tif 000006
【図４】
2005262976.tif 000007
【図５】
2005262976.tif 000008